(57)【要約】【課題】光学系８・９ａ〜９ｃを保持したミラー台１ａ・１ｂを移動させて画像情報担持体Ｏの画像情報をイメージセンサ１１を用いて読み取る画像読み取り装置について、移動するミラー台１ａから許容を超えるノイズ電波の放出を効果的に抑制して近くのラジオ・テレビ受信機等の電子機器に障害を与えることのないようにすること、その効果を長期にわたって安定に持続させること。【解決手段】ミラー台１ａに、その移動区間Ｈ−Ｅ内の特定の範囲Ｃ−Ｅ内において画像読み取り装置の定置構造体１３と導電的に接触摺動することによりミラー台１ａを接地化する導電性部材２を取付けたこと、あるいは画像読み取り装置の定置構造体に、記ミラー台の移動区間内の特定の範囲内においてミラー台と導電的に接触摺動することによりミラー台を接地化する導電性部材を取付けたこと。【選択図】図１
2005148211.tif 000002
【特許請求の範囲】
【請求項１】
光学系を保持したミラー台を移動させて画像情報担持体の画像情報をイメージセンサを用いて読み取る画像読み取り装置において、
前記ミラー台に、その移動区間内の特定の範囲内において前記画像読み取り装置の定置構造体と導電的に接触摺動することにより前記ミラー台を接地化する導電性部材を取付けたことを特徴とする画像読み取り装置。
【請求項２】
光学系を保持したミラー台を移動させて画像情報担持体の画像情報をイメージセンサを用いて読み取る画像読み取り装置において、
前記画像読み取り装置の定置構造体に、前記ミラー台の移動区間内の特定の範囲内において前記ミラー台と導電的に接触摺動することにより前記ミラー台を接地化する導電性部材を取付けたことを特徴とする画像読み取り装置。
【請求項３】
前記導電性部材が導電性ブラシであることを特徴とする請求項１または２に記載の画像読み取り装置。
【請求項４】
画像情報担持体を載置する透明プラテンを有し、前記ミラー台を前記透明プラテンの下面に沿って移動させ、前記透明プラテン上に載置された画像情報担持体の画像情報をイメージセンサを用いて読み取ることを特徴とする請求項１から３の何れかに記載の画像読み取り装置。
【請求項５】
前記特定の範囲は、電気的にフローティング状態のミラー台が移動されたとき移動位置に応じて該ミラー台から放射されるノイズ電波の強度レベルが前記移動区間の内で許容強度レベルを超える移動位置範囲に対応することを特徴とする請求項１から４の何れかに記載の画像読み取り装置。
【発明の詳細な説明】
【技術分野】
【０００１】
本発明は、デジタル複写機等に搭載される画像読み取り装置（イメージスキャナ）にかかり、特に、光学系を保持したミラー台を移動させて画像情報担持体の画像情報をイメージセンサを用いて読み取る画像読み取り装置に関する。
【背景技術】
【０００２】
画像読み取り装置は、所謂イメージセンサを用いて画像情報担持体の画像情報を読み取るデジタル方式の画像読み取り装置が広く普及してきた。
【０００３】
以下、この種の画像読み取り装置の概略構成を説明する。図７はイメージセンサを用いた画像読み取り装置の一例の光学系の概略構造を説明する図であり、本例の装置は、イメージセンサ固定方式縮小型画像読み取り装置である。（ａ）は移動光学系がホームポジションに位置している状態時の図、（ｂ）は移動光学系の往動移動過程の途中図、（ｃ）は移動光学系が往動終点位置に到達した状態時の図である。
【０００４】
５は画像読み取り装置の筐体を構成するフレーム、７は固定の水平プラテンガラスであり、フレーム５の上面に大きく開口させた窓部に嵌め付けてある。７ａはプラテンガラス７の上面に対して開閉自在の原稿圧着板である。Ｏは画像情報担持体としての原稿であり、プラテンガラス７の上面に画像面を下向きにして所定の載置基準に従って載置され、その上に原稿圧着板７ａを閉じ込むことでプラテンガラス上面にセットされる。
【０００５】
１ａと１ｂはフレーム５内に配設した、移動駆動される第１と第２のミラー台であり、それぞれ常時は（ａ）のプラテンガラス左辺寄りの位置をホームポジションとして待機している。第１ミラー台１ａは不図示の案内機構と駆動機構によりプラテンガラス７の下面に沿って、（ａ）のホームポジション位置Ｈから（ｃ）のプラテンガラス右辺側の往動移動終点位置（走査終点位置）Ｅまでの範囲を所定の速度Ｖにて（ｂ）の矢印Ａの方向に往動移動駆動される。第２ミラー台１ｂも不図示の案内機構と駆動機構により第１ミラー台１ａの往動移動に連動して第１ミラー台１ａの移動方向と同じ方向に第１ミラー台１ａの移動速度Ｖの１／２の速度にて往復移動駆動される。第１と第２のミラー台１ａ・１ｂは（ｃ）の往動移動終点位置Ｅに到達すると反転して（ａ）の始めのホームポジションに往動移動時よりも高速度で復動移動駆動されて戻される。第１ミラー台１ａには原稿照明ランプ８と第１ミラー９ａからなる第１光学系を搭載させてある。第２ミラー台１ｂには第２と第３の一対のミラー９ｂ・９ｃからなる第２光学系を搭載させてある。１０は結像レンズ系、１２はイメージセンサ（ＣＣＤアレイ）１１およびイメージセンサ駆動回路と画像処理回路等の電子回路を搭載した基板、１３はそれらを覆わせた金属性のＣＣＤカバーである。これら１０〜１３は第１ミラー台１ａの往動移動終点位置Ｅに対応するフレーム底板部分に固定して配設してある。
【０００６】
プラテンガラス７上に原稿Ｏを所定に載置セットし、不図示の原稿読み取り開始キーを押すと、第１ミラー台１ａの原稿照明ランプ８が点灯し、第１ミラー台１ａと第２ミラー台１ｂが連動して上記したように往動移動駆動される。第１ミラー台１ａがプラテンガラス７の下面に沿って往動移動駆動されることで、プラテンガラス７上の載置セット原稿Ｏの下向き画像面が原稿照明ランプ８によりプラテンガラス７を通してプラテンガラス左辺側から右辺側にかけて順次に照明される。その照明光の下向き画像面からの反射光が、第１ミラー台１ａの第１ミラー９ａ、第２ミラー台１ｂの第２および第３ミラー９ｂ・９ｃを順次に反射して結像レンズ系１０に入射し、結像レンズ系１０でイメージセンサ１１の受光面に縮小結像される。イメージセンサ１１は、その電気的主走査動作と、第１と第２のミラー台１ａ・１ｂの往動移動駆動すなわち機械的副走査動作とにより、原稿全面の画像情報を時系列電気デジタル画素信号として光電読み取りする。それが不図示のデジタル複写機本体等のホスト機器に送信されてコピー出力、ファックス送信、プリント等が実行される。
【０００７】
第１ミラー台１ａが速度Ｖで、第２ミラー台１ｂが速度Ｖ／２で往動移動駆動されることで、原稿Ｏの面から第１〜第３ミラー９ａ・９ｂ・９ｃを介して結像レンズ系１０に至る光路長は第１と第２のミラー台１ａ・１ｂの往動移動中一定に保たれる。
【０００８】
第１と第２のミラー台１ａ・１ｂは（ｃ）の走査終点位置に到達すると、第１ミラー台１ａの原稿照明ランプ８の消灯がなされ、反転して（ａ）の始めのホームポジションに復動移動駆動されて戻され、次に原稿読み取り開始キーが押されるまで待機状態に保持される。
【０００９】
ミラー台１ａ・１ｂは、軽量化と剛性を確保することを目的として、通常薄い板金によって形成され、その移動方向に平行する両端が案内部材で支持されている。そして、低駆動力による作動を可能とするために、ミラー台の移動を案内する案内部材の一方の側には樹脂製のブッシュが取付けられて案内部材を構成する金属製支持棒上を摺動し、他方の側には金属製レール上を摺動ないしは転動する樹脂製の摺動材乃至ローラが設置されているのが一般的構成である。このため、ミラー台１ａ・１ｂは一般には装置筺体５に対して電気的にフローティング状態にある。
【００１０】
デジタル化された複写機等の画像読み取り装置の近くでは、当該装置からのノイズ電波がラジオやテレビ受信機等の電子機器に受信障害を与えることが問題となっている。この受信障害の原因は上記のように電気的にフローティング状態のミラー台がアンテナとして機能することにあるものと考えられる。したがって、このミラー台を接地することにより障害を解消しうることが予見される。デジタル複写機では、イメージセンサの駆動クロックや画像処理回路のクロック等の高周波パルスにより回路が駆動されており、そしてアナログ方式のものと比較してハーネス数も多くなっている。ミラー台はこれらの回路と容量結合しているので、フローティング状態にある場合には回路側の電圧変化に応じた電位変動を受け、その電位変動がノイズ電波（放射電波、妨害電波）としてミラー台自身、アンテナとなって外部に放出されるものと考えられる。
【００１１】
ミラー台を接地することについては、アナログ方式の複写機に関するものであるが、駆動ワイヤを利用する方式が特許文献１に開示されている。
【００１２】
図８は特許文献１に開示の接地方式をとる複写機のミラー台部分の説明図であって、（ａ）は斜視図、（ｂ）はワイヤ押圧部の断面図である。（ａ）に示されるように、原稿照明ランプ８および第１ミラー（図示せず）を支持する第１ミラー台１Ａには、その長手方向の手前側端部に摺動部１ＡＡが設けられ、その前方側端部に転動部１ＡＢが設けられている。この摺動部１ＡＡに対応し走査方向Ａに沿って支持棒１３が延設され、また、転動部１ＡＢに対応して、支持棒１３と並行にレール６が延設されている。
【００１３】
摺動部１ＡＡの走査方向Ａの前後部には、支持棒１３に摺動自在に挿通された樹脂製のブッシュ１Ａａが装着された軸受部１Ａ１が形成されている。また、摺動部１ＡＡの、ミラー台１Ａの長手方向の端部にはねじ穴１Ａｃの設けられた挟持部１Ａ２が形成されている。第１ミラー台１Ａの転動部１ＡＢには、レール６上を転動するローラ１Ａｂが設けられている。
【００１４】
一方、一対の第２および第３ミラー９ｂ・９ｃ（図では上側の第２ミラー９ｂのみが図示されている）を支持する第２ミラー台１Ｂは、支持棒１３側において、第１ミラー台１Ａの摺動部１ＡＡを跨いで形成された摺動部１ＢＡと、この摺動部１ＢＡに対向して形成された、レール６に対応する転動部（図示なし）とを有している。摺動部１ＢＡには、支持棒１３に摺動自在に挿通された樹脂製のブッシュ１Ｂａが装着された一対の軸受部１Ｂ１が形成されている。また、図示されない転動部には、第１ミラー台１Ａの転動部１ＡＢと同様に、レール６上を転動するローラが設けられている。
【００１５】
これらミラー台１Ａ・１Ｂに対する駆動系は、複写機本体側に設けてある第１、第２の中間プーリ１６、１７と、第２ミラー台１Ｂの摺動部１ＢＡの側面に設けられた従動プーリ１８と、複写機本体側に固定されて正・逆回転可能な駆動モータ１９に連動する駆動プーリ２０と、駆動ワイヤ２１とで構成されている。一端が複写機本体の固定部２２に固定された駆動ワイヤ２１は、従動プーリ１８および第１中間プーリ１６を経由して駆動プーリ２０に巻き付けられ、第２中間プーリ１７に掛け回され、従動プーリ１７を経由した後、その他端を引張ばね２３によって展張されている。
【００１６】
駆動ワイヤ２１は、第１ミラー台１Ａに設けられた挟持部１Ａ２と押圧板１４との間に挟持され、取付ねじ１５により締め付けられて第１ミラー台１Ａと一体化されている。図８（ｂ）に示されるように、押圧板１４の駆動ワイヤと接する面にはローレット１４ａが刻まれており、これにより押圧板１４は駆動ワイヤ２１の樹脂コーティングを破って金属部分に食い込み、第１ミラー台１Ａを駆動ワイヤ２１に電気的に接続せしめている。一方、駆動ワイヤ２１は、固定部２２において装置筺体に接地されているので、上記構成により、第１ミラー台１Ａが接地されることになる。
【００１７】
また、デジタル方式では特許文献２で、ミラー台の両端に除電ブラシを実装し、その除電ブラシがレールもしくは筐体に常に接触するような構成が提案されている。
【特許文献１】実開昭６４−４４３１号公報
【特許文献２】特開平６−３０１１２１号公報
【発明の開示】
【発明が解決しようとする課題】
【００１８】
アナログ方式の複写機では電気基板が少なく、そのクロック周波数も低いため、上記図８（特許文献１）ような接地手段でも電波障害の抑制は十分であるが、デジタル方式の複写機では高周波の各種クロックが装置内を走っており、ハーネス数も多く装置全体にクロックが走っている等の理由で装置筺体の接地まで遠く、フローティング状態のミラー台の電位がそれらに追随するため、これらクロックがミラー台を介してノイズ電波として外部に放出される。そのため複写機の近くでは各種受信機や電子機器がノイズ電波により障害を受ける。
【００１９】
上記の電波障害はミラー台を接地することにより回避することができるが、上記図８のような駆動ワイヤを利用する従来の接地方式では、以下の問題点があった。上記接地方式では、ミラー台がワイヤ駆動方式で駆動されること、金属製ワイヤが使用されていること、ワイヤの一端が接地されていること、ミラー台がワイヤを挟持していること、の各条件が満たされる場合にのみ接地が可能となるにすぎない。したがって、上記のようなワイヤ駆動方式を採用しない場合やワイヤで駆動する場合であっても、当該ワイヤを接地しなかったり、駆動ワイヤが細くかつミラー台から接地点（固定部２２）迄の距離が長くなると接地インピーダンスが相当高くなって、ミラー台からノイズ電波の放射が発生する。
【００２０】
電気的にフローチング状態のミラー台から放射されるノイズ電波の強度レベルは画像読み取り装置内における電気回路基板などの電気的部材・部品の配設位置等の関係から移動されるミラー台の移動位置により強弱がある。図７の画像読み取り装置においては、特に、（ｃ）に示すように第１ミラー台１ａがイメージセンサ１１およびイメージセンサ駆動回路と画像処理回路等の電子回路が搭載されている基板１２を被っているＣＣＤカバー１３上に移動した場合に該第１ミラー台１ａからのノイズ電波の放射発生が顕著であり、問題となる。
【００２１】
アナログ方式の複写機のように、ミラー台がノイズ電波を放出することがなく、接地が単に帯電除去程度のことを目的としているのであれば、図８のような駆動ワイヤを利用する接地方式でも十分であるが、デジタル方式の複写機における場合のように、ノイズの放出が問題となる場合には上記対策では不十分である。
【００２２】
また、特許文献２のように、ミラー台に実装された除電ブラシが常に走査中筐体に接触させる構成も、除電ブラシ自体の磨耗により、効果が持続しない。
【００２３】
したがって、本発明の目的は、光学系を保持したミラー台を移動させて画像情報担持体の画像情報をイメージセンサを用いて読み取る画像読み取り装置について、移動するミラー台から許容を超えるノイズ電波の放出を効果的に抑制して近くのラジオ・テレビ受信機等の電子機器に障害を与えることのないようにすること、その効果を長期にわたって安定に持続させること、にある。
【課題を解決するための手段】
【００２４】
本発明は下記の構成を特徴とするの画像読み取り装置である。
【００２５】
（１）光学系を保持したミラー台を移動させて画像情報担持体の画像情報をイメージセンサを用いて読み取る画像読み取り装置において、前記ミラー台に、その移動区間内の特定の範囲内において前記画像読み取り装置の定置構造体と導電的に接触摺動することにより前記ミラー台を接地化する導電性部材を取付けたことを特徴とする画像読み取り装置。
【００２６】
（２）光学系を保持したミラー台を移動させて画像情報担持体の画像情報をイメージセンサを用いて読み取る画像読み取り装置において、前記画像読み取り装置の定置構造体に、前記ミラー台の移動区間内の特定の範囲内において前記ミラー台と導電的に接触摺動することにより前記ミラー台を接地化する導電性部材を取付けたことを特徴とする画像読み取り装置。
【００２７】
（３）前記導電性部材が導電性ブラシであることを特徴とする（１）または（２）に記載の画像読み取り装置。
【００２８】
（４）画像情報担持体を載置する透明プラテンを有し、前記ミラー台を前記透明プラテンの下面に沿って移動させ、前記透明プラテン上に載置された画像情報担持体の画像情報をイメージセンサを用いて読み取ることを特徴とする（１）から（３）の何れかに記載の画像読み取り装置。
【００２９】
（５）前記特定の範囲は、電気的にフローティング状態のミラー台が移動されたとき移動位置に応じて該ミラー台から放射されるノイズ電波の強度レベルが前記移動区間の内で許容強度レベルを超える移動位置範囲に対応することを特徴とする（１）から（４）の何れかに記載の画像読み取り装置。
【発明の効果】
【００３０】
ミラー台に、画像読み取り装置の定置構造体と導電的に接触摺動することによりミラー台を接地化する導電性部材を取付ける、あるいは画像読み取り装置の定置構造体に、ミラー台と導電的に接触摺動することによりミラー台を接地化する導電性部材を取付けることにより、ミラー台がいかなる駆動手段によって走査移動される場合であっても、ミラー台を安定にかつ低インピーダンスで接地することが可能となり、イメージセンサ、電子回路基板あるいはハーネス上を高周波クロックが走っていても、ミラー台を介してノイズ電波が放出されることはなくなり、高周波のクロックによって駆動される回路が実装されているデジタル方式複写機等の画像読み取り装置においても、ミラー台を介してクロック等がノイズ電波として放出されることがなくなり、複写機近くのラジオ、テレビ受信機等の周辺電子機器に電波障害を与えることがない。
【００３１】
この場合、ミラー台の上記接地化は、電気的にフローティング状態のミラー台が移動されたとき移動位置に応じて該ミラー台から放射されるノイズ電波の強度レベルがミラー台全移動区間の内で許容強度レベルを超える移動位置範囲に対応する特定の範囲内に限定的におこなわせる構成により、導電性部材の磨耗を低減化させて耐久時間を延ばすことができ、上記の電波障害抑制効果を長期にわたって安定に持続させることができる。
【発明を実施するための最良の形態】
【００３２】
【実施例１】
【００３３】
図１は本実施例の説明図である。本実施例は前述図７の画像読み取り装置に本発明を適用したものである。
【００３４】
すなわち、図７の画像読み取り装置は、前述したように、第１ミラー台１ａがイメージセンサ１１およびイメージセンサ駆動回路と画像処理回路等の電子回路が搭載されている基板１２を被っているＣＣＤカバー１３上に移動した場合に該第１ミラー台１ａからのノイズ電波の放射発生が顕著であり、問題となる。
【００３５】
そこで、本実施例では、この第１ミラー台１ａに該ミラー台がＣＣＤカバー１３上に移動したときに、画像読み取り装置の定置構造体としての該ＣＣＤカバー１３の上面と導電的に接触摺動して、該ＣＣＤカバー１３と、接地されているフレーム構造体５を介して該第１ミラー台１ａを接地化にする導電部性部材としての導電性ブラシ（除電ブラシ）２を具備させて該第１ミラー台１ａからのノイズ電波の放射を実質的に無しにしたものである。
【００３６】
図２は導電性ブラシ２を取り付けた第１ミラー台１ａの正面模型図である。ランプ８はランプホルダー１６ａ、１６ｂに保持されて、第１ミラー台１ａに固定されている。導電性ブラシ２は該ミラー台１ａの前面板とこの前面板にねじ４で締付固着される金属製の挟持部材３の間に挟み込ませてミラー台前面板の長手に沿ってミラー台下面よりも下方に突出させて配設してあり、第１ミラー台１ａと導電性ブラシ２は電気的に導通している。
【００３７】
ＣＣＤカバー１３は接地されているフレーム構造体５と電気的に接続されている。
【００３８】
上記の事項以外の画像読み取り装置構成は前述図７の画像読み取り装置と同じであるので同じ構成部材・部分には共通の符号を付して再度の説明を省略する。
【００３９】
第１と第２のミラー台１ａ・１ｂがホームポジションに待機している図１（ａ）の状態から、不図示の原稿読み取り開始キーが押されて、第１ミラー台１ａと第２ミラー台１ｂが連動して往動移動駆動され、第１ミラー台１ａの前面が（ｂ）のようにＣＣＤカバー１３のほぼ先端位置Ｃまで移動したとき、第１ミラー台１ａ側の導電性ブラシ２の下向先端部が、接地されているフレーム構造体５と電気的に接続されているＣＣＤカバー１３の上面に接触し、これにより第１ミラー台１ａは低インピーダンスで接地される。そして導電性ブラシ２は引き続く第１ミラー台１ａの往動移動過程でもＣＣＤカバー１３の上面に接触摺動して第１ミラー台１ａの低インピーダンスの接地が保持される。第１ミラー台１ａが往動移動終点位置Ｅに到達した（ｃ）の状態時もＣＣＤカバー１３の後端側においてカバー上面に接触していて第１ミラー台１ａの低インピーダンスの接地が保持される。また第１と第２のミラー台１ａ・１ｂが往動移動終点位置Ｅに到達し反転して復動移動駆動されたときも第１ミラー台１ａの導電性ブラシ２は第１ミラー台１ａの前面がＣＣＤカバー１３のほぼ先端位置Ｃを通り過ぎるまではＣＣＤカバー１３の上面に接触摺動してその間も第１ミラー台１ａの低インピーダンスの接地が保持される。
【００４０】
ＣＣＤカバー１３は金属製であり、このＣＣＤカバー１３の少なくとも導電性ブラシ２の接する部分には、接触抵抗を下げるための被膜、例えばニッケルめっき等の処理を施すことが望ましい。これにより接触圧を下げてもＣＣＤカバー１３と導電性ブラシ２を低インピーダンスで導電接続することが可能となると共に、接触による騒音や駆動モータの負荷の増大を抑制することができる。
【００４１】
本実施例においては、第１ミラー台１ａの全移動区間Ｈ−Ｅのうち、該第１ミラー台１ａからのノイズ電波の放射発生が特に顕著である範囲Ｃ−Ｅ、すなわち第１ミラー台１ａがイメージセンサ１１およびイメージセンサ駆動回路と画像処理回路等の電子回路が搭載されている基板１２を被っているＣＣＤカバー１３上を移動する範囲Ｃ−Ｅにおいて、第１ミラー台１ａがいかなる駆動手段によって走査移動される場合であっても、該第１ミラー台１ａを、導電性ブラシ２、ＣＣＤカバー１３、接地されているフレーム構造体５を介して安定にかつ低インピーダンスで接地することが可能となる。したがって、高周波のクロックによって駆動される回路が実装されているデジタル方式複写機等の画像読み取り装置においても、第１ミラー台１ａを介してクロック等がノイズ電波として放出されることがなくなり、複写機近くのラジオ、テレビ受信機等の周辺電子機器に電波障害を与えることがない。
【００４２】
また、第１ミラー台１ａを接地させる導電性部材としての導電性ブラシ２は第１ミラー台１ａの全移動区間Ｈ−Ｅのうちの、ミラー台が放射ノイズの影響のある位置である範囲Ｃ−Ｅでのみフレーム構造体側であるＣＣＤカバー１３に接触させるため、耐久時間を延ばすことができ、上記の効果を長期にわたって安定に持続させることができる。
【００４３】
なお、本実施例の画像読み取り装置においては、第１ミラー台１ａの全移動区間Ｈ−Ｅのうち範囲Ｅ−Ｃにおける第１ミラー台１ａはＣＣＤカバー１３から離れていることでノイズ電波を放出してもその強度レベルは小さくて、複写機近くのラジオ、テレビ受信機等の周辺電子機器に実質的には電波障害を与えないので、この範囲Ｅ−Ｃにおける第１ミラー台１ａの接地はしていない。また第２ミラー台１ｂもその全移動区間がＣＣＤカバー１３から離れていることでノイズ電波を放出してもその強度レベルは小さくて、複写機近くのラジオ、テレビ受信機等の周辺電子機器に実質的には電波障害を与えないので、この第２ミラー台１ｂの接地していない。
【００４４】
本実施例による効果を図３に示す。図３（ａ）は画像読み取り装置の初期状態（導電性ブラシを具備させていない図７のノイズ電波を放射する装置）における放射電波強度（ノイズ電波）を示している。これに対し、図３（ｂ）は第１ミラー台１ａに本実施例を施した状態における放射電波強度を示している。
【００４５】
ノイズ電波は所定のレベルを越えてはならない、という規格がある。（ａ）、（ｂ）において直線Ａはその規格である。機器はこの規格Ａより低い値のノイズレベルであることが重要である。（ａ）と（ｂ）の部分ａ、ｂを比較すると導電性ブラシ２を具備させた（ｂ）の方がレベルＡに接近しているノイズが減っている。 
【実施例２】
【００４６】
図４・図５は本実施例の説明図である。本実施例は上述の実施例１の画像読み取り装置において、第１ミラー台１ｂを接地化するための導電性ブラシ２を、第１ミラー台１ｂ側ではなく、接地されているフレーム構造体５に電気的に接触している固定構造体としてのＣＣＤカバー１３の上面に取り付けて配設したものである。
【００４７】
本実施例では、図５のように、ＣＣＤカバー１３の上面にカバー幅方向に間隔をあけて４列の導電性ブラシ２を起立させてカバー先端側から後端側にかけて配設してある。
【００４８】
第１と第２のミラー台１ａ・１ｂがホームポジションに待機している図４（ａ）の状態から、不図示の原稿読み取り開始キーが押されて、第１ミラー台１ａと第２ミラー台１ｂが連動して往動移動駆動され、第１ミラー台１ａの前面側が（ｂ）のようにＣＣＤカバー１３のほぼ先端位置Ｃまで移動したとき、該第１ミラー台１ａの下面がＣＣＤカバー１３の上面の導電性ブラシ２の上向先端部に接触し、これにより第１ミラー台１ａは低インピーダンスで接地される。そして導電性ブラシ２は引き続く第１ミラー台１ａの往動移動過程でも該第１ミラー台１ａの下面に接触摺動して、第１ミラー台１ａの低インピーダンスの接地が保持される。第１ミラー台１ａが往動移動終点位置Ｅに到達した（ｃ）の状態時も該第１ミラー台１ａの下面がＣＣＤカバー１３の上面の導電性ブラシ２の上向先端部に接触し、これにより第１ミラー台１ａは低インピーダンスで接地される。また第１ミラー台１ａが往動移動終点位置Ｅに到達し反転して復動移動駆動されたときも第１ミラー台１ａの下面とＣＣＤカバー１３の上面の導電性ブラシ２とは第１ミラー台１ａがＣＣＤカバー１３のほぼ先端位置Ｃを通り過ぎるまでは接触摺動してその間も第１ミラー台１ａの低インピーダンスの接地が保持される。
【００４９】
この実施例２の画像読み取り装置の場合も、第１ミラー台１ａの全移動区間Ｈ−Ｅのうち、該第１ミラー台１ａからのノイズ電波の放射発生が特に顕著である範囲すなわち第１ミラー台１ａがＣＣＤカバー１３上を移動する範囲Ｃ−Ｅにおいて第１ミラー台１ａの低インピーダンスの接地がなされて前記実施例１の画像読み取り装置の場合と同様の効果が得られる
【実施例３】
【００５０】
図４・図５は本実施例の説明図である。本実施例は上述の実施例１の画像読み取り装置において、接地されているフレーム構造体５に電気的に接触している固定構造体としての第１ミラー台往復移動案内用の平行レール３０ａ・３０ｂに、該レールの、第１ミラー台１ａがＣＣＤカバー１３上を移動する範囲Ｃ−Ｅに対応する長さ範囲部分に第１ミラー台１ａと接触摺動する導電性ブラシ２を配設したものである。
【００５１】
第１ミラー台１ａが移動駆動されてＣＣＤカバー１３上に移動したときのみ、レール３０ａ・３０ｂに実装された導電性ブラシ２に第１ミラー台１ａが接触して第１ミラー台１ａの低インピーダンスの接地が保持される。
【００５２】
この実施例３の画像読み取り装置の場合も、第１ミラー台１ａの全移動区間Ｈ−Ｅのうち、該第１ミラー台１ａからのノイズ電波の放射発生が特に顕著である範囲すなわち第１ミラー台１ａがＣＣＤカバー１３上を移動する範囲Ｃ−Ｅにおいて第１ミラー台１ａの低インピーダンスの接地がなされて前記実施例１の画像読み取り装置の場合と同様の効果が得られる
［その他］
１）実施例１〜３の画像読み取り装置において、第１ミラー台の全移動区間内で、ノイズ電波の放射防止のために第１ミラー台１ａを接地化する特定の範囲は１つの範囲に限られず、必要に応じて複数の範囲設定にすることもできる。
【００５３】
２）第２ミラー台１ｂについても必要に応じて第１ミラー台と同様に、第２ミラー台の全移動区間内で、ノイズ電波の放射防止のために第２ミラー台１ｂを接地化する１つあるいは複数の特定の範囲は１つの範囲を設定にすることができる。
【図面の簡単な説明】
【００５４】
【図１】実施例１の画像読み取り装置の説明図
【図２】導電性ブラシ（除電ブラシ）を取り付けた第１ミラー台の正面模型図
【図３】実施例１の効果の説明図
【図４】実施例２の画像読み取り装置の説明図（その１）
【図５】実施例２の画像読み取り装置の説明図（その２）
【図６】実施例３の画像読み取り装置の説明図
【図７】従来例の画像読み取り装置の説明図（その１）
【図８】従来例の画像読み取り装置の説明図（その２）
【符号の説明】
【００５５】
１ａ・１ｂ・・第１と第２の移動ミラー台、２・・導電性ブラシ（除電ブラシ）、５・・画像読み取り装置のフレーム構造体、７・・プラテンガラス、１０・・レンズ系、１１・・イメージセンサ（ＣＣＤアレイ）、１２・・回路基板、１３・・ＣＣＤカバー
【図１】
2005148211.tif 000003
【図２】
2005148211.tif 000004
【図３】
2005148211.tif 000005
【図４】
2005148211.tif 000006
【図５】
2005148211.tif 000007
【図６】
2005148211.tif 000008
【図７】
2005148211.tif 000009
【図８】
2005148211.tif 000010